(57)【要約】【課題】参加者の手間を低減しつつ、表示シートに記載された内容と、その表示シートが載置された位置とを対応付けて記憶することのできる、表示シートの内容・位置記憶システムを提供すること。【解決手段】表示シートの位置・内容記憶システム１００は、複数の表示シート２００と、各表示シート２００に表示する画像の画像データを入力する入力装置４００と、入力装置４００に入力されたデータに基づいて表示シート２００に画像を書き込む書き込み装置３００と、書き込み装置３００によって画像が書き込まれた表示シート２００を載置する載置部５００と、各表示シート２００について、表示された画像と載置部５００での位置とを対応付けて記憶する演算・記憶装置６００とを有する。【選択図】図１
2012022366.tif 000002
【特許請求の範囲】
【請求項１】
所望の画像を表示することができる複数の表示シートと、
各前記表示シートに表示する画像の画像データを入力する単数あるいは複数の入力装置と、
前記入力装置に入力されたデータに基づいて、前記表示シートに画像を書き込む書き込み装置と、
前記書き込み装置によって画像が書き込まれた表示シートを載置する載置部と、
各前記表示シートについて、表示された画像データと前記載置部での位置とを対応付けて記憶する演算・記憶装置とを有することを特徴とする表示シートの位置・内容記憶システム。
【請求項２】
各前記表示シートは、他の前記表示シートと区別するための識別情報を有している請求項１に記載の表示シートの位置・内容記憶システム。
【請求項３】
前記演算・記憶装置は、前記入力装置によって入力された画像データを記憶する画像データ記憶部を有し、前記画像データを前記画像データ記憶部に記憶するとともに前記書き込み装置に送信する請求項２に記載の表示シートの位置・内容記憶システム。
【請求項４】
前記書き込み装置は、前記演算・記憶装置から送信された前記画像データに対応した画像を前記表示シートに書き込む請求項３に記載の表示シートの位置・内容記憶システム。
【請求項５】
前記書き込み装置は、前記表示シートの識別情報を読み取る識別情報読み取り部を有している請求項４に記載の表示シートの位置・内容記憶システム。
【請求項６】
前記演算・記憶装置は、前記書き込み装置が有する前記識別情報読み取り部で読み取られた表示シートの識別情報と、前記画像データ記憶部に記憶された前記画像データとを対応付ける表示シート識別部を有している請求項５に記載の表示シートの位置・内容記憶システム。
【請求項７】
前記載置部は、該載置部に載置された前記表示シートの位置を検知する位置検知手段を有している請求項６に記載の表示シートの位置・内容記憶システム。
【請求項８】
前記位置検知手段は、所定時間ごとに、前記表示シートの位置を検知する請求項６に記載の表示シートの位置・内容記憶システム。
【請求項９】
前記載置部は、前記表示シートを載置する複数の領域を有し、
前記位置検知手段は、各前記領域に設けられ、対応する前記領域に載置された前記表示シートの識別情報を読み取る識別情報読み取り部を有している請求項７または８に記載の表示シートの位置・内容記憶システム。
【請求項１０】
前記演算・記憶装置は、前記載置部が有する前記位置検知手段で検知された各前記表示シートの位置情報と、前記表示シート識別部で対応付けられた前記画像データとに基づいて、表示シートの載置部上での位置と書き込まれた画像とを対応付けて記憶する位置・内容記憶部を有している請求項７ないし９のいずれかに記載の表示シートの位置・内容記憶システム。
【請求項１１】
前記演算・記憶装置は、前記載置部が有する前記位置検知手段で検知された各前記表示シートの位置情報に基づいて、複数の表示シートが載置されている位置関係を演算し、位置関係の遠近距離でグルーピングする機能を有し、グルーピング情報を記憶している請求項７ないし１０のいずれかに記載の表示シートの位置・内容記憶システム。
【請求項１２】
前記演算・記憶装置は、各前記入力装置が有する識別情報を保有し、前記画像データ記憶部に記憶された前記画像データとを対応付ける入力装置識別部を有している請求項３ないし１１のいずれかに記載の表示シートの位置・内容記憶システム。
【請求項１３】
前記表示シートは、各前記入力装置が有する識別情報を表示する機能を有する請求項１ないし１２のいずれかに記載の表示シートの位置・内容記憶システム。
【発明の詳細な説明】
【技術分野】
【０００１】
本発明は、表示シートの位置・内容記憶システムに関する。
【背景技術】
【０００２】
例えば、ＱＣ（クオリティーコントロール）会議など、複数の参加者の意見を交換する会議は、参加者から挙げられた意見をホワイトボード等に記入したり、意見が記入された付箋をボードに張り付けたりしながら進められる。このような会議では、会議が進行するに従って、記載スペース（貼り付けスペース）が無くなったり、不要になったりした意見は、削除されることがあり、また、意見の記載場所（貼り付け場所）を変更して、似た意見や関連する意見を一箇所にまとめるグルーピングする）こともある。
このように、会議が進むとともに意見が削除されたり、場所が変わったりするため、最終的なホワイトボードの状態を記録するだけでは、会議の流れを正確に保存することができない。そのため、各参加者や書記は、ホワイトボードに記載された内容等を頻繁に記録しなければならず、手間がかかってしまう。
【０００３】
そこで、従来から、経時的に、ホワイトボードを撮影することにより、上記のような各参加者や書記の手間を低減するシステムが知られている（例えば、特許文献１参照）。特許文献１には、会議支援システムが開示されており、この会議支援システムは、符号（識別手段）を備え、意見を記載する複数のパネルと、パネルを貼り付ける模造紙と、各パネルに記載された意見内容を撮影するデジタルカメラと、パネルが貼り付けられた模造紙の全体を撮影するカメラとを有している。
【０００４】
このような会議支援システムは、次のようにして用いられる。まず、参加者によって意見が記載されたパネルをデジタルカメラで撮影し、撮影し終えたパネルを模造紙の所定箇所に貼り付ける。なお、撮影画像（以下、「個別画像」とも言う。）は、コンピューターに記憶される。この作業を各パネルについて順次行う。そして、模造紙に複数のパネルが貼り付けられ、意見交換が一段落したところ（例えば、グルーピングが終了した時点）で、カメラによって模造紙全体を撮影する。この撮影によって得られた撮影画像（以下、「全体画像」とも言う。）は、コンピューターに記憶される。コンピューターは、記憶された全体画像から各パネルの符号を検知し、各パネルの模造紙上での位置を認識する。さらに、コンピューターは、上で認識した各パネルの模造紙上での位置と、先に記憶された個別画像とを対応させ、模造紙上のどの位置に、どのような内容の意見が貼り付けられているかを認識する。
【０００５】
このような会議支援システムによれば、コンピューターによって、意見交換の様子を会議の流れに沿って記憶することができるため、各参加者や書記の手間を軽減することができる。しかしながら、特許文献１の会議支援システムでは、参加者が手書きでパネルに意見を書き込むため、例えば、書き込まれた文字の大きさや丁寧さ、またはデジタルカメラの性能によっては、パネルに記載された意見を読み取ってデータ化（例えば、テキスト化）するのが困難な場合もある。また、デジタルカメラでのパネルの撮影およびカメラでの模造紙の撮影は、それぞれ、会議に参加している者が行わなければならず、当該者の手間が増えてしまう。
【先行技術文献】
【特許文献】
【０００６】
【特許文献１】特開２００６−１９８９５号公報
【発明の概要】
【発明が解決しようとする課題】
【０００７】
本発明の目的は、参加者の手間を低減しつつ、表示シートに記載された内容と、その表示シートが載置された位置とを対応付けて記憶することのできる、表示シートの位置・内容記憶システムを提供することにある。
【課題を解決するための手段】
【０００８】
このような目的は、下記の本発明により達成される。
本発明の表示シートの位置・内容記憶システムは、所望の画像を表示することができる複数の表示シートと、
各前記表示シートに表示する画像の画像データを入力する単数あるいは複数の入力装置と、
前記入力装置に入力されたデータに基づいて、前記表示シートに画像を書き込む書き込み装置と、
前記書き込み装置によって画像が書き込まれた表示シートを載置する載置部と、
各前記表示シートについて、表示された画像データと前記載置部での位置とを対応付けて記憶する演算・記憶装置とを有することを特徴とする。
これにより、参加者の手間を低減しつつ、表示シートに記載された内容と、その表示シートが載置された位置とを対応付けて記憶することのできる、表示シートの位置・内容記憶システムを提供することができる。
【０００９】
本発明の表示シートの位置・内容記憶システムでは、各前記表示シートは、他の前記表示シートと区別するための識別情報を有していることが好ましい。
これにより、各表示シートを特定することができ、各表示シートの載置部での位置および書き込まれた内容を、簡単に認識することができる。
本発明の表示シートの位置・内容記憶システムでは、前記演算・記憶装置は、前記入力装置によって入力された画像データを記憶する画像データ記憶部を有し、前記画像データを前記画像データ記憶部に記憶するとともに前記書き込み装置に送信することが好ましい。
これにより、演算・記憶装置に表示シートに書き込む内容を記憶させることができ、表示シートの載置部上での位置と、その表示シートに書き込まれた内容との対応付けを、簡単に行うことができる。
【００１０】
本発明の表示シートの位置・内容記憶システムでは、前記書き込み装置は、前記演算・記憶装置から送信された前記画像データに対応した画像を前記表示シートに書き込むことが好ましい。
これにより、表示シートに所望の画像を表示する（書き込む）ことができる。
本発明の表示シートの位置・内容記憶システムでは、前記書き込み装置は、前記表示シートの識別情報を読み取る識別情報読み取り部を有していることが好ましい。
これにより、どの表示シートにどの画像が書き込まれたかを検知することができる。
【００１１】
本発明の表示シートの位置・内容記憶システムでは、前記演算・記憶装置は、前記書き込み装置が有する前記識別情報読み取り部で読み取られた表示シートの識別情報と、前記画像データ記憶部に記憶された前記画像データとを対応付ける表示シート識別部を有していることが好ましい。
これにより、どの表示シートにどの画像が書き込まれたかを対応付けることができる。
【００１２】
本発明の表示シートの位置・内容記憶システムでは、前記載置部は、該載置部に載置された前記表示シートの位置を検知する位置検知手段を有していることが好ましい。
これにより、載置部上での表示シートの位置を検知することができる。
本発明の表示シートの位置・内容記憶システムでは、前記位置検知手段は、所定時間ごとに、前記表示シートの位置を検知することが好ましい。
これにより、表示シートが載置部に載置された時刻や、載置部上での位置が変更された時刻などを検知することができる。
【００１３】
本発明の表示シートの位置・内容記憶システムでは、前記載置部は、前記表示シートを載置する複数の領域を有し、
前記位置検知手段は、各前記領域に設けられ、対応する前記領域に載置された前記表示シートの識別情報を読み取る識別情報読み取り部を有していることが好ましい。
これにより、検知手段の構成が簡単となるとともに、より確実に、載置部上での表示シート位置を検知することができる。
【００１４】
本発明の表示シートの位置・内容記憶システムでは、前記演算・記憶装置は、前記載置部が有する前記位置検知手段で検知された各前記表示シートの位置情報と、前記表示シート識別部で対応付けられた前記画像データとに基づいて、表示シートの載置部上での位置と書き込まれた画像とを対応付けて記憶する位置・内容記憶部を有していることが好ましい。
これにより、簡単な構成で、表示シートに記載された内容と、その表示シートが載置された位置とを対応付けて記憶することができる。
【００１５】
本発明の表示シートの位置・内容記憶システムでは、前記演算・記憶装置は、前記載置部が有する前記位置検知手段で検知された各前記表示シートの位置情報に基づいて、複数の表示シートが載置されている位置関係を演算し、位置関係の遠近距離でグルーピングする機能を有し、グルーピング情報を記憶していることが好ましい。
これにより、表示シートに記載された内容の相互の関連性を記憶することができる。
【００１６】
本発明の表示シートの位置・内容記憶システムでは、前記演算・記憶装置は、各前記入力装置が有する識別情報を保有し、前記画像データ記憶部に記憶された前記画像データとを対応付ける入力装置識別部を有していることが好ましい。
これにより、どの入力者がどの画像を書き込んだかを対応付けることができる。
本発明の表示シートの位置・内容記憶システムでは、前記表示シートは、各前記入力装置が有する識別情報を表示する機能を有することが好ましい。
これにより、各表示シートが誰により入力されたかの対応付けを簡単に知ることができる。
【図面の簡単な説明】
【００１７】
【図１】本発明の表示シートの位置・内容記憶システムの好適な実施形態を模式的に示す図である。
【図２】図１に示す表示シートの位置・内容記憶システムが有する表示シートの断面図である。
【図３】図１に示す表示シートの位置・内容記憶システムが有する書き込み装置の構成を示す図である。
【図４】図３に示す書き込み装置の作動を説明するための図である。
【図５】図１に示す表示シートの位置・内容記憶システムが有する載置部を示す斜視図である。
【図６】図１に示す表示シートの位置・内容記憶システムが有する位置・内容記憶装置を示すブロック図である。
【発明を実施するための形態】
【００１８】
以下、本発明の表示シートの位置・内容記憶システムを添付図面に示す好適実施形態に基づいて詳細に説明する。
図１は、本発明の表示シートの位置・内容記憶システムの好適な実施形態を模式的に示す図、図２は、図１に示す表示シートの位置・内容記憶システムが有する表示シートの断面図、図３は、図１に示す表示シートの位置・内容記憶システムが有する書き込み装置の構成を示す図、図４は、図３に示す書き込み装置の作動を説明するための図、図５は、図１に示す表示シートの位置・内容記憶システムが有する載置部を示す斜視図、図６は、図１に示す表示シートの位置・内容記憶システムが有する位置・内容記憶装置を示すブロック図である。
【００１９】
図１に示す表示シートの位置・内容記憶システム１００（以下、単に「システム１００」とも言う。）は、例えば、複数の参加者によって行われる会議に用いられ、会議中で挙げられた意見等を経時的にかつ整理して記憶することができるシステムである。このようなシステム１００は、後日、会議の内容（挙げられた意見等）を時間軸に沿って確認（再現）することができるため、会議の内容をより正確に確認することができる点で優れている。
【００２０】
システム１００は、参加者の意見が書き込まれる複数の表示シート（電子ペーパー）２００と、表示シート２００に参加者の意見を書き込むための書き込み装置３００と、表示シート２００に書き込む内容を入力する入力装置４００と、表示シート２００を載置する載置ボード（載置部）５００と、各表示シート２００の載置ボード５００上での位置とその表示シート２００に記載された内容とを対応付けて記憶するコンピューター（演算・記憶装置）６００とを有している。
【００２１】
以下、表示シート２００、書き込み装置３００、入力装置４００と、載置ボード５００およびコンピューター６００について、順次、詳細に説明する。
−表示シート２００−
図２に示すように、表示シート２００は、背面側基板２１０と、表示層２２０と、表示面側基板２３０と、封止部２４０と、ＩＣタグ（識別情報）２５０とを有している。表示シート２００では、表示面側基板２３０が実質的に無色透明とされており、表示面側基板２３０の表面（表示面２００ａ）に所望の画像が映し出される、すなわち参加者の意見が書き込まれるようになっている。
【００２２】
ＩＣタグ２５０は、各表示シート２００を識別するため、すなわち、複数の表示シート２００の中から特定の表示シート２００を認識するために設けられている。ＩＣタグ２５０は、載置ボード５００に設けられた後述するＩＣリーダー（識別情報読み取り部）５２１から発射される電波によって微量な電力を生み出し、その電力でＩＣリーダー５２１に識別情報を送信する機能を有している。
【００２３】
本実施形態では、ＩＣタグ２５０は、画像の表示を阻害しないように、背面側基板２１０に埋設されている。ただし、ＩＣタグ２５０の配置は、その機能を発揮することができる限り、特に限定されず、例えば、表示シート２００の表面（外部）に露出するように設けられていてもよい。
背面側基板２１０および表示面側基板２３０は、それぞれ、シート状（平板状）の部材で構成されている。背面側基板２１０および表示面側基板２３０は、それぞれ、可撓性を有するもの、硬質なもののいずれであってもよいが、可撓性を有するものであるのが好ましい。
【００２４】
背面側基板２１０および表示面側基板２３０を可撓性を有するものとする場合、その構成材料としては、例えば、ＰＥＴ（ポリエチレンテレフタレート）、ＰＥＮ（ポリエチレンナフタレート）等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられる。
【００２５】
背面側基板２１０と表示面側基板２３０との間に設けられた表示層２２０は、電気泳動分散液Ｑをカプセル本体２２１ａ内に封入した複数のマイクロカプセル２２１がバインダー２２２により保持された構成をなしている。
マイクロカプセル２２１は、縦横に並列するように単層で（すなわち表示層２２０の厚さ方向に重なることなく１個ずつ）、かつ、表示層２２０の厚さ方向全体に配設されている。すなわち、マイクロカプセル２２１は、表示層２２０において、その面方向に隣接するもの同士が互いに接触し、かつ、厚さ方向に積層することなく配列している。また、マイクロカプセル２２１は、上下方向に圧縮されることなく、ほぼ球状（球形状）をなしている。
【００２６】
マイクロカプセル２２１の粒子径は、特に限定されないが、５μｍ以上、３００μｍ以下程度であるのが好ましく、１０μｍ以上、２００μｍ以下程度であるのがより好ましく、１５μｍ以上、１５０μｍ以下程度であるのがさらに好ましい。
カプセル本体２２１ａの構成材料は、特に限定されず、例えば、ゼラチン、アラビアゴムとゼラチンとの複合材料、ウレタン系樹脂、メラミン系樹脂、尿素樹脂、エポキシ系樹脂、フェノール系樹脂、アクリル系樹脂、ウレタン系樹脂、オレフィン系樹脂、ポリアミド、ポリエーテルのような各種樹脂材料が挙げられ、これらのうち１種または２種以上を組み合わせて用いることができる。
【００２７】
カプセル本体２２１ａ内に封入された電気泳動分散液Ｑは、正に帯電した白色粒子Ａと負に帯電した黒色粒子Ｂとを液相分散媒Ｃに分散（懸濁）してなるものである。なお、以下では、説明の便宜上、白色粒子Ａと黒色粒子Ｂを総称して、単に「電気泳動粒子」とも言う。
液相分散媒Ｃとしては、例えば、メタノール等のアルコール類、メチルセロソルブ等のセロソルブ類、酢酸メチル等のエステル類、アセトン等のケトン類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族複素環類、アセトニトリル等のニトリル類、Ｎ，Ｎ−ジメチルホルムアミド等のアミド類、カルボン酸塩、シリコーンオイルまたはその他の各種油類等が挙げられ、これらを単独または混合物として用いることができる。
【００２８】
電気泳動粒子は、荷電を有し、電界が作用することにより、液相分散媒Ｃ中を電気泳動し得る粒子である。かかる電気泳動粒子には、荷電を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、荷電の制御を比較的容易に行うことができるという利点を有している。
【００２９】
電気泳動粒子の平均粒子径は、特に限定されないが、好ましくは０．１〜５μｍ、より好ましくは０．１〜４μｍ、さらに好ましくは０．１〜３μｍである。
また、電気泳動粒子の比重は、液相分散媒Ｃの比重とほぼ等しくなるように設定されているのが好ましい。表示シート２００にメモリー性を付与することができ、表示された情報を長時間保持することができる。
【００３０】
表示層２２０に含まれるバインダー２２２は、例えば、表示層２２０を背面側基板２１０および表示面側基板２３０に固定する目的、マイクロカプセル２２１同士を固定する目的等により供給される。これにより、表示シート２００の耐久性および信頼性をより向上させることができる。
このようなバインダー２２２の構成材料は、特に限定されないが、例えば、（メタ）アクリル系樹脂、（メタ）アクリルウレタン系樹脂、ポリ塩化ビニル系樹脂、ポリ塩化ビニリデン系樹脂、メラミン系樹脂、ウレタン系樹脂、スチレン系樹脂、アルキド系樹脂、フェノール系樹脂、エポキシ系樹脂、ポリエステル系樹脂、ポリビニルアルコール系樹脂、（メタ）アクリルシリコーン系樹脂、アルキルポリシロキサン系樹脂、シリコーン系樹脂、シリコーンアルキド系樹脂、シリコーンウレタン系樹脂、シリコーンポリエステル系樹脂、ポリアルキレングリコール系樹脂のような合成樹脂バインダー、エチレン−プロピレン共重合ゴム、ポリブタジエンゴム、スチレン−ブタンジエンゴム、アクリロニトリル−ブタジエンゴムのような合成ゴムまたは天然ゴムバインダー、硝酸セルロース、セルロースアセテートブチレート、酢酸セルロース、エチルセルロース、ヒドロキシプロピルメチルセルロース、ヒドロキシエチルセルロースのような熱可塑性または熱硬化性高分子バインダー等が挙げられ、これらのうちの１種または２種以上を組み合わせて用いることができる。
【００３１】
表示層２２０の周囲を囲むように、封止部２４０が設けられている。封止部２４０は、背面側基板２１０と表示面側基板２３０との間であって、それらの縁部に沿って設けられている。この封止部２４０により、表示層２２０が気密的に封止されている。これにより、表示シート２００内への水分の浸入を防止して、表示シート２００の表示性能の劣化をより確実に防止することができる。
【００３２】
封止部２４０の構成材料としては、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。なお、封止部２４０は、必要に応じて設ければよく、省略することもできる。
【００３３】
以上のような構成の表示シート２００は、当該表示シート２００に表示された画像データを入力した入力装置４００の識別情報を表示する機能を有しているのが好ましい。これにより、その表示シート２００に書かれた内容（意見）が誰によって書かれたものでるかを各参加者が容易に認識することがでる。そのため、会議をスムーズに進行することができるようになる。このような機能としては、例えば、表示面２００の左上に、入力装置４００の識別情報（例えば、その入力装置を使用する参加者の氏名）が表示されるようにするのが好ましい。
【００３４】
−書き込み装置３００−
書き込み装置３００は、各表示シート２００に所望の画像（参加者の意見）を書き込むための装置である。図３に示すように、書き込み装置３００は、描画ヘッド３１０と、描画ヘッド３１０を回転駆動する図示しない駆動手段と、表示シート２００を搬送する図示しない搬送手段と、搬送される表示シート２００の識別情報を取得するＩＣリーダー（識別情報読み取り部）３２０とを有している。
【００３５】
描画ヘッド３１０は、回転自在に支持されている一対のドラム３１１、３１２で構成されている。これら一対のドラム３１１、３１２は、所定距離離間するように配置されている。前記駆動手段は、ドラム３１１を図３中時計回りに、ドラム３１２を図３中反時計回りに、それぞれ同じ速度で回転させる。表示シート２００は、前記搬送手段によって描画ヘッド３１０まで搬送された後、ドラム３１１、３１２の回転によって搬送され、ドラム３１１、３１２の間を通過する。なお、表示シート２００は、表示面２００ａをドラム３１１側にして、ドラム３１１、３１２の間を通過する。
【００３６】
ドラム３１１には、マトリックス状に配置された複数の画素電極３１１ａを備えたアクティブマトリックス回路が形成されている。なお、書き込み装置３００は、各画素電極３１１ａに独立して電圧を印加できるようになっている。一方、ドラム３１２には、共通電極３１２ａが設けられている。このような描画ヘッド３１０は、ドラム３１１、３１２の間を表示シート２００が通過する際に、各画素電極３１１ａと共通電極３１２ａとの間に電圧を印加することにより、表示シート２００の表示面２００ａに所望の画像を書き込むことができる。
【００３７】
具体的には、図４（ａ）に示すように、ドラム３１１、３１２の間に表示シート２００を通過させつつ、表示シート２００と対向する位置にある画素電極３１１ａ（３１１ａ’）を正電位とすると、画素電極３１１ａ’と共通電極３１２ａとの間に電界が発生する。この電界が作用するマイクロカプセル２２１（画素電極３１１ａ’と共通電極３１２ａの間に位置するマイクロカプセル２２１）中では、黒色粒子Ｂが画素電極３１１ａ側に移動し、白色粒子Ａが共通電極３１２ａ側に移動する。これにより、表示面２００ａの前記電界が作用したマイクロカプセル２２１に対応する領域に黒色が表示される。反対に、図４（ｂ）に示すように、画素電極３１１ａ’を負電位とすると、画素電極３１１ａ’と共通電極３１２ａとの間に位置するマイクロカプセル２２１中では、白色粒子Ａが画素電極３１１ａ側に移動し、黒色粒子Ｂが共通電極３１２ａ側に移動する。これにより、表示面２００ａの前記電界が作用したマイクロカプセル２２１に対応する領域に白色が表示される。
【００３８】
このように、ドラム３１１、３１２の間に表示シート２００を通過させつつ、表示シート２００と対向する画素電極３１１ａを正電位または負電位とすることにより、表示面２００ａに白色の領域と黒色の領域とを形成し、これにより、表示面２００ａに所望の画像（参加者の意見）が書き込まれる。
ＩＣリーダー３２０は、例えば、表示シート２００の搬送方向において、描画ヘッド３１０の下流側に位置しており、描画ヘッド３１０によって画像が書き込まれた表示シート２００の識別情報を取得する。ＩＣリーダー３２０が取得した表示シート２００の識別情報は、コンピューター６００に送信される。
【００３９】
−入力装置４００−
入力装置４００は、表示シート２００に書き込む意見（表示する画像）を入力するための装置である。入力装置４００としては、文字入力のし易さなどの観点からキーボードまたはそれに類するものを備えているものが好ましい。具体的には、ノートパソコンや携帯電話、ペンタブレットなどを入力装置として用いることができる。
【００４０】
入力装置４００に入力された画像データは、コンピューター６００に送信され、コンピューター６００からさらに書き込み装置３００に送信される。書き込み装置３００は、受信した画像データに基づいて、描画ヘッド３１０の駆動を制御し、表示シート２００に画像データに基づいた画像を書き込む。
なお、入力装置４００からコンピューター６００への画像データの送信や、コンピューター６００から書き込み装置３００への画像データの送信は、有線、無線（例えば、赤外線通信など）のいずれの方法を用いてもよい。
【００４１】
入力装置４００は、会議の参加者全員（意見を述べる可能性のある者全員）に、１台ずつ配布されているのが好ましい。これにより、参加者は、自分の意見を手軽にかつ好きなときに表示シート２００に書き込むことができ、意見が書き込まれた表示シート２００を用いて、自分の意見を発表することができる。そのため、会議をより円滑に行うことができる。
【００４２】
複数の入力装置４００を用いる場合には、コンピューター６００が、各入力装置４００を識別できるように構成されていることが好ましい。これにより、コンピューター６００に送信される画像データが、どの入力装置４００（すなわち誰）から送信されたものであるかを特定することができる。そのため、発表された意見と、その発表者を対応付けることができ、より詳細に会議の内容を記憶することができる。
なお、入力装置４００は、本実施形態のように、参加者全員に１台ずつ配布しなくてもよい。例えば、決められた代表者が入力装置４００を有し、その代表者が、参加者の意見発表を聞いて、その内容を入力装置４００に入力するようにしてもよい。また、複数人がグループを構成している場合には、各グループに１台配布してもよい。
【００４３】
−載置ボード５００−
載置ボード５００は、書き込み装置３００によって意見が書き込まれた表示シート２００を載置するボードである。このような載置ボード５００は、例えば、会議室の壁に設置されている。図１に示すように、載置ボード５００の載置面５１０は、予め複数の領域５１１に区画されている。複数の領域５１１は、それぞれ、１枚の表示シート２００を貼り付けることができる形状および大きさに形成されている。本実施形態では、複数の領域５１１は、マトリックス状に設けられており、それぞれ四角形をなしている。
【００４４】
領域５１１の境界は、線（実線や鎖線）によって参加者が視認できるようになっていてもよいし、視認できなくてもよいが、視認できる方が好ましい。これにより、１つの領域５１１内に正確に１枚の表示シート２００を載置することができる。すなわち、表示シート２００が隣り合う領域５１１に跨って載置されるのを効果的に防止でき、後述するＩＣリーダー５２１による表示シート２００の識別情報の取得を、より正確に行うことができる。
【００４５】
載置ボード５００は、載置面５１０上での表示シート位置を検知する位置検知手段５２０を有している。本実施形態の位置検知手段５２０は、各領域５１１に対応して設けられた複数のＩＣリーダー５２１を有している。各ＩＣリーダー５２１は、電波を発射することにより、対応する領域５１１に配置された表示シート２００のＩＣタグ２５０から、その表示シート２００の識別情報を取得する。これにより、どの領域５１１にどの表示シート２００が載置されているのかが特定される。特定された表示シート２００の位置情報は、コンピューター６００に送信される。
【００４６】
ＩＣリーダー５２１から発射される電波の流力は、当該ＩＣリーダー５２１に対応する領域５１１に載置された表示シート２００のＩＣタグ２５０にのみ届くように設定されているのが好ましい。これにより、所定のＩＣリーダー５２１が、他の領域５１１に載置された表示シート２００のＩＣタグ２５０から識別情報を取得してしまうのを効果的に防止でき、より正確に、各表示シート２００の載置面５１０上での位置を検知することができる。
【００４７】
また、ＩＣリーダー５２１は、対応する領域５１１に表示シート２００が載置されたことに反応し、その載置された表示シート２００のＩＣタグ２５０から識別情報を取得するよう構成されているのが好ましい。これにより、各表示シート２００の載置面５１０への載置時刻や、載置面５１０上での移動（載置位置の変更）の様子をより正確に検知することができる。
【００４８】
また、ＩＣリーダー５２１による表示シート２００の識別情報の取得は、所定時間ごとに行ってもよい。これによっても、各表示シート２００の載置面５１０への載置時刻や載置面５１０上での移動の様子を検知することができる。なお、前記所定時間としては、特に限定されず、会議の内容や進行速度等によって適宜設定すればよいが、例えば、１分程度であるのが好ましい。これにより、コンピューター６００に送信される情報の増加を抑制しつつ、より正確に、載置面５１０上での表示シート２００の動きを検知することができる。
載置面５１０への表示シート２００の載置方法は、特に限定されない。本実施形態では、図５に示すように、各領域５１１に、表示シート２００を立て懸けるための受け板５１２を設置し、表示シート２００を受け板５１２に立て懸けることによって、表示シート２００を載置面５１０に載置している。
【００４９】
ただし、この他、例えば、磁石を用いて表示シート２００を載置面５１０へ貼り付けてもよいし、両面テープを用いて表示シート２００を載置面５１０へ貼り付けてもよい。また、画鋲などの固定具を用いて表示シート２００を載置面５１０へ貼り付けてもよいし、各領域５１１にフックを設け、表示シート２００を前記フックに引っ掛けることによって載置面５１０に載置してもよいし、各領域５１１に嵌合孔を形成し、表示シート２００の一部（例えば、予め設けられた嵌合用突起）を前記嵌合孔に嵌合させることにより載置ボード５００に載置してもよい。
【００５０】
−コンピューター６００−
図６に示すように、コンピューター６００は、画像データ記憶部６１０と、表示シート識別部６２０と、位置・内容記憶部６３０と、入力装置識別部６４０とを有している。
画像データ記憶部６１０は、各入力装置４００から送信された画像データを、入力装置４００の識別番号と対応付けて記憶する。これにより、各参加者が入力した画像（書き込んだ意見）を把握することができる。すなわち、画像データ記憶部６１０に記憶された画像（意見）が、誰が入力したものであるかを特定することができる。そのため、会議の内容をより正確に記憶することができる。
【００５１】
コンピューター６００は、このような画像データ記憶部６１０に画像データを記憶するとともに、画像データを書き込み装置３００に送信する。そして、書き込み装置３００は、受信した画像データに基づいて描画ヘッド３１０の駆動を制御し、表示シート２００に前記画像データに対応する画像（意見）を書き込む。これとともに、書き込み装置３００は、ＩＣリーダー３２０によって、画像を書き込んだ表示シート２００の識別情報を取得し、取得した情報をコンピューター６００に送信する。
【００５２】
表示シート識別部６２０は、書き込み装置３００から送信された表示シート２００の識別情報と、画像データ記憶部６１０に記憶された画像データとを対応付ける。これにより、どの表示シート２００に、どの画像（意見）が書き込まれたかを特定することができる。なお、対応付けは、例えば、画像データを書き込み装置３００に送信した時刻と、書き込み装置３００から表示シート２００の識別情報を受信した時刻とに基づいて行うことができる。すなわち、所定の画像データを送信した後、最初に受信した識別情報を有する表示シート２００に前記所定の画像データに対応する画像が書き込まれたと対応付けることができる。
【００５３】
書き込み装置３００によって、所定の画像（意見）が書き込まれた表示シート２００は、載置ボード５００の載置面５１０に、１つの領域５１１に収まるように載置される。表示シート２００が載置された領域５１１に設けられたＩＣリーダー５２１は、表示シート２００が載置されたのに反応して、その表示シート２００が有するＩＣタグ２５０から識別情報を取得する。載置ボード５００は、表示シート２００の識別情報を取得したＩＣリーダー５２１を、識別情報を取得した時刻とともに特定することにより、所定時刻における載置面５１０上での表示シート２００の位置を特定する（以下、特定された情報を単に「位置情報」とも言う）。載置ボード５００は、前記のようにして特定した表示シート２００の位置情報をコンピューター６００に送信する。
【００５４】
入力装置識別部６４０は、各入力装置４００が有する個別の識別情報を保有している。このような入力装置識別部６４０は、受信した画像データがどの入力装置４００から送信されたデータであるのかを特定し、受信した前記画像データと、当該画像データを送信してきた入力装置４００とを対応付ける。これにより、例えば、発表された意見と、その発表者を対応付けることができ、より詳細に会議の内容を記憶することができる。
【００５５】
位置・内容記憶部６３０は、載置ボード５００から受信した表示シート２００の位置情報と、表示シート識別部６２０によって対応付けられた各表示シート２００に表示された画像の画像データと、入力装置識別部６４０によって対応付けられた画像データと入力装置４００の組み合わせ情報とに基づいて、各表示シート２００の載置面５１０上での位置、それに書き込まれた画像（意見）、および、それを書き込んだ参加者（入力装置４００）を対応付けて記憶する。これにより、どの参加者がどのような意見を述べ、その意見が表示された書き込まれた表示シート２００が、載置面５１０のどの位置に載置され、その後、載置面５１０上をどのように移動したか、または載置面５１０上から取り除かれたかを、対応付けて記憶することができる。そのため、会議の進行を、より正確に、記憶することができる。
【００５６】
また、コンピューター６００は、載置ボード５００が有するＩＣリーダー５２１で検知された各表示シート２００の位置情報に基づいて、載置ボード５００上での各表示シート２００の位置、すなわち、複数の表示シート２００の位置関係を演算し、その位置関係の遠近距離でグループ分け（グルーピング）する機能を有し、この情報（グルーピング情報）を記憶している。例えば、所定の表示シート２００から所定距離以内にある表示シート２００は、同じグループに属するものとしてまとめることが挙げられる。これにより、各表示シート２００に記載された内容の相互の関連性を記憶でき、より整理された形で会議の内容の記録することができる。
【００５７】
このようなコンピューター６００は、さらにキーボード等の操作部や、モニターを有していてもよい。これにより、前記モニター上で会議を再現したり、記憶したデータを編集したりすることができる。前記編集の具体的な例としては、例えば、載置面５１０に載置された複数の表示シート２００の意見内容等に基づいて、複数の表示シート２００をグループ分け（グルーピング）することが挙げられる。これにより、コンピューター６００に、会議の内容をより解りやすく記憶させることができる。また、予め、複数の領域５１１をグループ分けしておくことも挙げられる。例えば、載置面５１０の右側の各領域５１１を、女性の意見が書き込まれた表示シート２００が載置される領域とし、左側の各領域５１１を、男性の意見が書き込まれた表示シート２００が載置される領域とするようグループ分けし、会議では、そのグループ分けに従って、表示シート２００を載置するようにしてもよい。
【００５８】
以上のようなシステム１００によれば、コンピューター６００に、表示シート２００に書き込まれた内容と、その表示シート２００が載置された位置とを対応付けて記憶することのできるので、参加者がメモを取らずに済み、円滑に会議を進めることができる。特に、システム１００によれば、会議の流れを経時的にコンピューター６００に記憶させることができるため、コンピューター６００によって、会議の様子（流れ）を再現することができる。すなわち、システム１００によれば、より忠実に会議の様子を記録することができる。
【００５９】
また、前述した従来技術では、デジタルカメラで撮影した活字の文書の画像を、イメージスキャナーで取り込み、コンピューターが編集できる形式（文字コードの列）に変換するＯＣＲ（Ｏｐｔｉｃａｌ  Ｃｈａｒａｃｔｅｒ  Ｒｅｃｏｇｎｉｔｉｏｎ）処理を行わなければならず、特殊なソフトが必要となり、かつ処理の精度もスキャナーやコンピューターの性能に左右されやすいという欠点があるが、システム１００では、入力装置４００に画像データが入力されてから、表示シート２００の位置と内容を対応付けるまで、全てをデジタルデータで管理することができるため、従来のような問題が発生しない。
【００６０】
以上、本発明の位置・内容記憶システムを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、前述した実施形態では、表示シートとして、電気泳動粒子を用いたものについて代表して説明したが、画像を書き込むことができれば、これに限定されず、例えば、メモリー性のあるコレステリック液晶を用いた表示シート、エレクトロクロミズムを用いた表示シート等を用いてもよい。
【００６１】
また、前述した実施形態では、載置ボードが有するＩＣリーダーで表示シートの位置を検知する構成について説明したが、載置面上での表示シート位置を検知することができれば、これに限定されず、例えば、載置面に載置された表示シート同士が、互いに通信し合うことにより表示シートの位置を検知してもよい。
また、前述した実施形態では、表示シートに設けられたＩＣタグを利用して、表示シートを特定したり、載置面上での位置を検知したりする構成について説明したが、これに限定されない。例えば、各表示シートの表面に互いに異なる色や模様（目印）を形成し、前記模様を識別情報として利用してもよい。この場合には、識別情報読み取り部を、例えばデジタルカメラ等で構成し、デジタルカメラで撮影した画像に基づいて、表示シートを特定したり、載置面上での位置を検知したりすればよい。
【符号の説明】
【００６２】
１００‥‥位置・内容記憶システム  ２００‥‥表示シート  ２００ａ‥‥表示面  ２１０‥‥背面側基板  ２２０‥‥表示層  ２２１‥‥マイクロカプセル  ２２１ａ‥‥カプセル本体  ２２２‥‥バインダー  ２３０‥‥表示面側基板  ２４０‥‥封止部  ２５０‥‥ＩＣタグ  ３００‥‥書き込み装置  ３１０‥‥描画ヘッド  ３１１、３１２‥‥ドラム  ３１１ａ‥‥画素電極  ３１２ａ‥‥共通電極  ３２０‥‥ＩＣリーダー  ４００‥‥入力装置  ５００‥‥載置ボード  ５１０‥‥載置面  ５１１‥‥領域  ５１２‥‥受け板  ５２０‥‥位置検知手段  ５２１‥‥ＩＣリーダー  ６００‥‥コンピューター  ６１０‥‥画像データ記憶部  ６２０‥‥表示シート識別部  ６３０‥‥位置・内容記憶部  ６４０‥‥入力装置識別部  Ａ‥‥白色粒子  Ｂ‥‥黒色粒子  Ｃ‥‥液相分散媒  Ｑ‥‥電気泳動分散液
【図１】
2012022366.tif 000003
【図２】
2012022366.tif 000004
【図３】
2012022366.tif 000005
【図４】
2012022366.tif 000006
【図５】
2012022366.tif 000007
【図６】
2012022366.tif 000008